【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
１つ以上のアイコンデザインのスライスを備え、各スライスは、隣接スライスから若干離間するか、隣接するスライスに当接するか、または隣接するスライスに若干重なっている、マイクロサイズのスティッチされたアイコン。
【請求項２】
マイクロサイズのスティッチされたアイコンである、請求項１に記載のスティッチされたアイコン。
【請求項３】
全高が約１５〜３０ミクロンの寸法であり、全幅が約１５〜３０ミクロンの寸法である、請求項２に記載のスティッチされたアイコン。；
【請求項４】
各スライスは、隣接するスライスから若干離間している、請求項１に記載のスティッチされたアイコン。
【請求項５】
各スライスは、隣接スライスに当接するか、または隣接するスライスに若干重なっている、請求項１に記載のスティッチされたアイコン。
【請求項６】
マイクロサイズのスティッチされたアイコンの１つ以上の配置を備え、各スティッチされたアイコンは、１つ以上のアイコンデザインのスライスを備え、各スライスは、隣接するスライスから若干離間するか、隣接するスライスに当接するか、または隣接するスライスに若干重なっているセキュリティデバイス。
【請求項７】
マイクロレンズの１つ以上の配置を更に備え、マイクロレンズの前記配置とスティッチされたアイコンの前記配置とが協働し、１つ以上の合成拡大画像を形成する、請求項６に記載のセキュリティデバイス。
【請求項８】
スティッチされた各アイコンは、２つ以上のアイコンデザインのスライスを備え、スティッチされた各アイコン内の各スライスは、隣接するスライスに当接するかまたは若干重なり、よって前記セキュリティデバイスは、２つ以上の合成拡大画像を同時に投影する、請求項７に記載のセキュリティデバイス。
【請求項９】
スティッチされた各アイコンは、２つ以上のアイコンデザインのスライスを備え、スティッチされた各アイコン内の各スライスは隣接するスライスから若干離間し、よって前記セキュリティデバイスは、このデバイスが傾斜されるとき、または異なるビュー角から見られるとき、２つ以上の合成拡大画像を連続して投影する、請求項７に記載のセキュリティデバイス。
【請求項１０】
前記２つ以上の投影される画像の各々は、同一または異なるものにすることができる光学的効果を有し、この光学的効果は、
（ｉ）前記セキュリティデバイスが傾斜されるとき、または異なるビュー角から見られるときに、動きを見せる光学的効果、
（ｉｉ）前記セキュリティデバイスの厚さよりも深い空間平面にあるかのように見える効果、
（ｉｉｉ）前記セキュリティデバイスの表面よりも上方の空間平面にあるかのように見える効果、
（ｉｖ）前記デバイスがアジマス方向に回転されるときに、前記セキュリティデバイスの厚さよりも深い空間平面と、前記セキュリティデバイスの表面よりも上方の空間平面との間で振れるような効果、
（ｖ）前記セキュリティデバイスがアジマス方向に回転されるとき、または異なるビュー角から見られるときに、あるフォーム、形状、サイズおよび／またはカラーから異なるフォーム、形状、サイズおよび／またはカラーに変化する効果および／または
（ｖｉ）三次元画像として見える効果
の群から選択されたものである、請求項８または９に記載のセキュリティデバイス。
【請求項１１】
基板と、前記基板の表面の上またはその内部に設けられたスティッチされたアイコンの１つ以上の配置を備え、スティッチされた各アイコンは、２つ以上のアイコンデザインのスライスを備え、更に前記マイクロレンズは、１つ以上の合成拡大画像を形成するのに十分な距離にて前記スティッチされたアイコンの配置に実質的に平行に配置されたマイクロレンズの１つ以上の配置を備える、請求項７に記載のセキュリティデバイス。
【請求項１２】
前記セキュリティデバイスは、
（ａ）長軸および短軸を有する細長い基板と、
（ｂ）前記基板の表面上またはその内部に位置するスティッチされたアイコンのアレイとを備え、前記スティッチされたアイコンは、相互に直交する複数の列と行に配置されており、各スティッチされたアイコンを構成する、スライス内に具現化された前記アイコンデザインまたはその一部は、各列を下方に、または各行を横方向に変化または遷移し、
（ｃ）マイクロレンズの少なくとも一部の焦点が、前記スティッチされたアイコン内のスライスに実質的に整合するよう、前記ステッチされたアイコンのアレイに実質的に平行に配置されたマイクロレンズの対応するアレイを更に備え、
前記アレイの間の距離は、前記マイクロレンズが遷移するアイコンデザインの合成拡大画像を形成するのに十分な値であり、
前記セキュリティデバイスがその水平軸に沿って傾斜されるとき、または前記セキュリティデバイスがその垂直軸に沿って傾斜されるときに、前記合成拡大画像は、あるフォームから少なくとも１つの別のフォームにスムーズに遷移し、次にオプションとして元のフォームに戻る、請求項１１に記載のセキュリティデバイス。
【請求項１３】
前記セキュリティデバイスは、
（ａ）長軸および短軸を有する細長い基板と、
（ｂ）前記基板の表面上または表面内に位置する同様な角度の付いたスティッチされたアイコンの角度の付いたアレイとを備え、前記スティッチされたアレイは、相互に直交する複数の列と行に配置されており、各スティッチされたアイコンを構成する、スライス内に具現化された前記アイコンデザインまたはその一部は、各列を下方に、または各行を横方向に変化または遷移し、
（ｃ）マイクロレンズの少なくとも一部の焦点が、前記スティッチされたアイコン内のスライスに実質的に整合するよう、前記ステッチされたアイコンのアレイに実質的に平行に配置されたマイクロレンズの対応するアレイを更に備え、
前記アレイの間の距離は、前記マイクロレンズが遷移するアイコンデザインの合成拡大画像を形成するのに十分な値であり、
前記セキュリティデバイスがその水平軸に沿って傾斜されるとき、または前記セキュリティデバイスがその垂直軸に沿って傾斜されるときに、前記合成拡大画像は、あるフォームから少なくとも１つの別のフォームにスムーズに遷移し、次にオプションとして元のフォームに戻る、請求項１１に記載のセキュリティデバイス。
【請求項１４】
スティッチされたアイコンの前記アレイとマイクロレンズの前記アレイの各々は、それぞれのアレイ内のある繰り返し周期および対称軸を有する、請求項１２または１３に記載のセキュリティデバイス。
【請求項１５】
少なくとも一方向への前記マイクロレンズの繰り返し周期に対する前記スティッチされたアイコンの繰り返し周期の比は、実質的に１に等しく、前記スティッチされたアイコンのアレイの対称軸と前記マイクロレンズのアレイの対応する対称軸とは、角ばって整合していない状態にあり、よって遷移するアイコンデザインの合成拡大画像に対し、オルソパララクティック（直交視差）移動効果を与える、請求項１４に記載のセキュリティデバイス。
【請求項１６】
少なくとも一方向への前記マイクロレンズの繰り返し周期に対する前記スティッチされたアイコンの繰り返し周期の比は、実質的に１より大であり、前記スティッチされたアイコンのアレイの対称軸と前記マイクロレンズのアレイの対応する対称軸とは整合しており、よって遷移するアイコンデザインの合成拡大画像に対し、浮き上がっているかのような効果を与える、請求項１４に記載のセキュリティデバイス。
【請求項１７】
少なくとも一方向への前記マイクロレンズの繰り返し周期に対する前記スティッチされたアイコンの繰り返し周期の比は、実質的に１未満であり、前記スティッチされたアイコンのアレイの対称軸と前記マイクロレンズのアレイの対応する対称軸とは整合状態にあり、よって遷移するアイコンデザインの合成拡大画像に対し、深くセットされた効果、すなわち沈み込んでいるかのような効果を与える、請求項１４に記載のセキュリティデバイス。
【請求項１８】
セキュリティドキュメント上で使用するか、またはセキュリティドキュメント内で少なくとも一部を使用するようになっているセキュリティスレッドを構成する、請求項６に記載のセキュリティデバイス。
【請求項１９】
セキュリティドキュメント上で使用するようになっているセキュリティパッチを構成する、請求項６に記載のセキュリティデバイス。
【請求項２０】
少なくとも一部が内部に埋め込まれているか、および／または上部に取り付けられている、少なくとも１つのセキュリティデバイスを有するセキュリティドキュメントまたはラベルであって、
少なくとも１つの前記セキュリティデバイスは、マイクロサイズのスティッチされたアイコンの１つ以上の配置を備え、前記スティッチされた各アイコンは、１つ以上のアイコンデザインのスライスを備え、各スライスは、隣接するスライスから若干離間するか、隣接するスライスに当接または若干重なっている、セキュリティドキュメントまたはラベル。
【請求項２１】
前記少なくとも１つのセキュリティデバイスは、マイクロレンズの１つ以上の配置を更に備える、マイクロ光学的セキュリティデバイスであり、マイクロレンズの前記配置とスティッチされたアイコンの前記配置とは協働し、１つ以上の合成拡大画像を形成する、請求項２０に記載のセキュリティドキュメント。
【請求項２２】
前記マイクロ光学的セキュリティデバイスは、前記ドキュメント内に一部が埋め込まれており、前記ドキュメントの１つ以上の表面上のウィンドー内で見ることができるセキュリティスレッドとなっている、請求項２１に記載のセキュリティドキュメント。
【請求項２３】
各ウィンドー内の前記セキュリティスレッドは、同一の光学的効果を有する画像を投影する、請求項２２に記載のセキュリティドキュメント。
【請求項２４】
各ウィンドー内の前記セキュリティスレッドは、異なる光学的効果を有する画像を投影する、請求項２２に記載のセキュリティドキュメント。
【請求項２５】
前記セキュリティスレッドによって投影される画像は、前記ドキュメントの１つ以上の表面上のプリントされた画像とコーディネートされている、請求項２３または２４に記載のセキュリティドキュメント。